(57)【要約】【課題】エゴかつ質の軽い引き出し構造を提供する。【解決手段】本発明に係る引き出し構造は、プラスチック材料からなるフロントプレート、バックプレート、及び２つの側板を含む。フロントプレート、バックプレート及び各側板の内側下端には底板が接合するスロットが設けられている。各側板の先端は、ネジによりフロントプレートの内側に螺着され、各側板の後端にはほぞ槽が設けられている。バックプレートの両端には、バックプレートが２つの側板と安定に係合するように、２つの側板のほぞ槽内に対応して挿着される案内柱及び逆フックが設けられている。各側板及びバックプレートの外表面には封止板が設けられ、各側板の下端にはスライドレールが設けられている。【選択図】図１
2014171497.tif 000002
【特許請求の範囲】
【請求項１】
内側の両端にネジ孔が設けられ、内側の下端にスロットが設けられたフロントプレートと、
各々の先端にネジが貫通するネジベースが設けられ、前記フロントプレートのネジ孔に螺入され、前記フロントプレートの内側にそれぞれ結合され、後端に複数のほぞ・スロットが設けられ、各々の内側下端にスロットが設けられた左右の２つの側板と、
内側下端にスロットが設けられ、両端に前記左右の２つの側板のスロット内に対応して挿入可能な案内柱及び逆フックが設けられたバックプレートと、
先端、後端、両側が前記フロントプレートのスロット、前記バックプレートのスロット、前記左右の２つの側板のスロット内に対応して嵌め込まれた底板とを備えることにより、収容空間を有することを特徴とする引き出し構造。
【請求項２】
前記左右の２つの側板の下端にはスライドレールがそれぞれネジで螺入されていることを特徴とする請求項１に記載の引き出し構造。
【請求項３】
前記左右の２つの側板の外側には封止板がそれぞれ結合され、前記バックプレートの外側には後封止板が結合されていることを特徴とする請求項１に記載の引き出し構造。
【請求項４】
前記左右の２つの側板の外側には封止板がそれぞれ結合され、前記バックプレートの外側には後封止板が結合され、前記左右の２つの側板の封止板の下端にはスライドレールがそれぞれネジで螺着されていることを特徴とする請求項１に記載の引き出し構造。
【発明の詳細な説明】
【技術分野】
【０００１】
本発明は、引き出し構造に関し、特にプラスチック材料からなり、エコかつ質の軽いことを達成可能な引き出しに関するものである。
【背景技術】
【０００２】
従来、オフィス家具の引き出しは、鉄製又は木製であるのが一般的である。鉄製引き出しの製造は、予め鉄材板を用意し、板金ベンディング、ハンダ付け、研磨、ポリシング等の製造工程を行う必要がある。半製品の場合は、美観、錆び止め、強固かつ耐用性のある要求を満たすために、さらに鉄材に電気めっき又は焼付け塗装を施すことで初めて完成品が出来上がる。木製引き出しの製造は、各式の板材を切断し、釘又は切断、ドリルにより接合のためのほぞとスロットを作成し、また、木製品には防腐効果を図り使用期限を長くするために化学防腐剤を施す必要がある。
【０００３】
しかしながら、木製引き出しの製造には、自然林が大量に伐採され、自然環境や生態系がひどく破壊されるという第１の欠点がある。次に、従来の鉄製、木製引き出しは、使用年限の延長のために、その表面にコーティング処理を施す必要があり、また、引き出しの製造は、通常、工場で組み立てを完成しなければならないため、消費者は、自ら組み立てることができないという第２の欠点がある。さらに、鉄製又は木製引き出しの質量が重いため、ユーザは、容易に使用や移動することができないという第３の欠点もある。
【発明の概要】
【発明が解決しようとする課題】
【０００４】
そこで、本発明は、消費者が容易に組み立てることができる引き出し構造を提供することを目的とする。
【０００５】
また、本発明は、環境に二次汚染をもたらすことを回避するための引き出し構造を提供することを目的とする。
【０００６】
また、本発明は、質が軽く、ユーザが容易に使用することができる引き出し構造を提供することを目的とする。
【課題を解決するための手段】
【０００７】
本発明に係る引き出し構造は、フロントプレート、バックプレート、及び左右対称の２つの側板を含む。フロントプレート、バックプレート及び各側板の内側下端には底板が差し込みにより接合するスロットがそれぞれ設けられている。前記フロントプレートの内側にはネジが螺入し左右の２つの側板を前記フロントプレートに螺着するためのネジ孔が設けられている。前記左右の２つの側板の後端には前記バックプレートに設けられた案内柱及び逆フックが対応して挿入し係合するほぞ槽が設けられいる。さらに、前記左右の２つの側板の外表面には左右の封止板がネジで螺着され、さらにバックプレートの外表面には後封止板がネジで螺着されている。
【発明の効果】
【０００８】
本発明に係る引き出し構造によれば、消費者は、自ら容易に組み立て、使用することができ、さらに、本発明に係る引き出し構造は、プラスチック材料からなるため、エコかつ材質が軽量である機能を達成することができる。
【図面の簡単な説明】
【０００９】
【図１】本発明に係る引き出し構造の立体分解図である。
【図２】図１の引き出し構造の組み立て立体図である。
【発明を実施するための形態】
【００１０】
本発明の目的、特徴及び効果がより容易に理解できるように、図面を参照しながら本発明の実施形態を説明する。
【００１１】
図１及び図２は、本発明に係る引き出し構造を示す。該引き出し構造は、フロントプレート１０とバックプレート１３とを含み、フロントプレート１０の内側両端にネジ１１２が螺入するネジ孔１０１（図１の裏面拡大図１００を参照）が設けられ、フロントプレート１０の内側下端にスロット１０２が設けられている。バックプレート１３とフロントプレート１０とは離間して対向配置され、バックプレート１３の内側下端にスロット１３１が設けられ、バックプレート１３の両端に案内柱１３１及び逆フック１３２がそれぞれ設けられている（図１における拡大図１３０を参照）。
【００１２】
本発明に係る引き出し構造は、左右の２つの側板１１及び底板１５をさらに備え、各側板１１の先端に、各側板１１の先端がフロントプレート１０の内側に結合されるように、ネジ１１２が貫通しフロントプレート１０のネジ孔１０１に螺入するためのネジベース１１１が設けられている。各側板１１の後端には、バックプレート１３の案内柱１３１及び逆フック１３２がそれぞれ係止するほぞ槽１１４が設けられ、各側板１１の内側下端に底板１５が挿設するスロット２０が設けられている。底板１５は、長方形の薄片体であり、底板１５の先端、後端及び両側は、フロントプレート１０のスロット１０２、バックプレート１３のスロット１３１及び２つの側板１１のスロット２０内に対応して嵌め込むことができる。
【００１３】
本発明に係る引き出し構造の組み付けは、ネジ１１２をネジベース１１１からフロントプレート１０のネジ孔１０１に螺入することにより、左右の２つの側板１１がフロントプレート１０の内側に螺着される。次に、底板１５を左右の２つの側板１１及びフロントプレート１０のスロット２０、１０２内に挿着する。そして、バックプレート１３のスロット１３１を底板１５の後端に挿着し、バックプレート１３の案内柱１３１及び逆フック１３２をそれぞれ左右の２つの側板１１のほぞ槽１１４内に挿着し固定することにより、内部に収容空間１がある引き出しとして組み立てる（図２を参照）。
【００１４】
さらに、左右の２つの側板１１の外側面に封止板１２がそれぞれ設けられ、バックプレート１３の外側面に後封止板１４が設けられている。この実施形態において、各側板１１の外側の前後両端に、ネジ１２１が螺入するネジ孔１１３がそれぞれ設けられ、ネジ１２１が封止板１２を貫通することで、封止板１２が側板１１の外側面に固定される。後封止板１４は、ネジ１４１によりバックプレート１３に螺着される。各側板１１の下端（各封止板１２の外表面）には、ユーザが気軽にスイッチを入れて使用できるように、スライドレール１６がネジ１６１で螺着される。また、ナット１２２又はナットキャップを用いて各側板１１のネジベース１１１を被覆することができる。
【００１５】
上記のように、これらの実施の形態は本発明の好ましい実施例のみであり、本発明の特許請求の範囲に基づいてなされる等価の変更や修飾は、本発明の技術範囲に入るものである。
【００１６】
以上のように、本発明では、内側の両端にネジ孔が設けられ、内側の下端にスロットが設けられたフロントプレートと、各々の先端にネジが貫通するネジベースが設けられ、前記フロントプレートのネジ孔に螺入され、前記フロントプレートの内側にそれぞれ結合され、後端に複数のほぞ・スロットが設けられ、各々の内側下端にスロットが設けられた左右の２つの側板と、内側下端にスロットが設けられ、両端に前記左右の２つの側板のスロット内に対応して挿入可能な案内柱及び逆フックが設けられたバックプレートと、先端、後端、両側が前記フロントプレートのスロット、前記バックプレートのスロット、前記左右の２つの側板のスロット内に対応して嵌め込まれた底板とを備えることにより、収容空間を有することを特徴とする引き出し構造とするものである。
【００１７】
また、前記左右の２つの側板の下端にはスライドレールがそれぞれネジで螺入されているものとする。
【００１８】
また、前記左右の２つの側板の外側には封止板がそれぞれ結合され、前記バックプレートの外側には後封止板が結合されているものとする。
【００１９】
また、前記左右の２つの側板の外側には封止板がそれぞれ結合され、前記バックプレートの外側には後封止板が結合され、前記左右の２つの側板の封止板の下端にはスライドレールがそれぞれネジで螺着されているものとする。
【産業上の利用可能性】
【００２０】
本発明に係る引き出し構造によれば、消費者は、自ら容易に組み立て、使用することができ、さらに、本発明に係る引き出し構造は、プラスチック材料からなるため、エコかつ材質が軽量である機能を達成することができる。
【符号の説明】
【００２１】
１  収容空間
１０  フロントプレート
１００  裏面拡大図
１０１  ネジ孔
１０２  スロット
１１  側板
１１１  ネジベース
１１２  ネジ
１１３  ネジ孔
１１４  ほぞ槽
１２  封止板
１２１  ネジ
１２２  ナット
１３  バックプレート
１３０  拡大図
１３１  案内柱
１３２  逆フック
１４  後封止板
１４１  ネジ
１５  底板
１６  スライドレール
１６１  ネジ
２０  スロット
【図１】
2014171497.tif 000003
【図２】
2014171497.tif 000004